(57)【要約】【課題】病院施設関係者の手を煩わすことなくナースコールによる呼び出しを行った患者を認識することができ、病院施設関係者以外が患者名を容易に認識することができない廊下灯を提供することを目的とする。【解決手段】廊下灯１００は、病室内の病床レイアウトに一致するように情報カード１３０〜１６０を配置し、情報カード１３０〜１６０には病床番号と患者の状態を示すとともに、ナースコール子機によって呼び出しを行った患者をそれぞれ対応する個別表示灯１８０で示し、患者名については表記しないようにしたものである。【選択図】      図１
2005319176.tif 000002
【特許請求の範囲】
【請求項１】
病室入り口に設けられ、前記病室内の患者より呼び出しがあった場合にその旨を報知する廊下灯であって、
前記病室の識別情報を示す病室識別表示手段と、
前記病室内の複数の病床の配列に合わせて、病床の識別情報を示す病床識別表示手段と、
この病床識別情報表示手段で示される識別情報に対応づけて、呼び出しを行った患者が利用する病床の位置を示す呼出報知手段とを具備することを特徴とする廊下灯。
【請求項２】
前記病床識別表示手段は、前記病室内の病床に予め割り当てられた番号を、前記病室内の複数の病床の配列に合わせて示すことを特徴とする請求項１に記載の廊下灯。
【請求項３】
前記病床識別表示手段は、当該廊下灯より着脱自在であることを特徴とする請求項１に記載の廊下灯。
【請求項４】
病室入り口に設けられ前記病室内の患者より呼び出しがあった場合にその旨を報知する廊下灯で用いられ、前記病室内の病床の識別情報を示すことを特徴とする情報カード。
【請求項５】
前記識別情報は、前記病室内の病床に予め割り当てられた番号であることを特徴とする請求項４に記載の情報カード。
【発明の詳細な説明】
【技術分野】
【０００１】
この発明は、例えば病院の病室入り口付近に設けられる廊下灯に関する。
【背景技術】
【０００２】
周知のように、病室入口付近に設けられる廊下灯は、病室内の病床を利用する患者名が示されている。そして廊下灯は、ナースセンタに設置されるナースコール親機と連動しており、病床近傍のナースコール子機より患者が呼び出しを行うと、その呼び出しがナースコール親機や看護師が携帯する無線端末装置に呼び出しがかかるとともに、上記廊下灯が点灯し、呼び出しを行った患者が対応する病室内に存在する旨を報知する。このように廊下灯は、看護師や医者などの病院施設関係者に対して、病室内の患者名を明示するだけでなく、ナースコール装置により呼び出しを報知するようにしている。
【０００３】
ところで近時、廊下灯で明示される患者名について、プライバシー保護の観点から改善を求める向きの声がある。これに対して従来は、廊下灯の表面にスライド式の着脱自在のカバーを設け、必要に応じて病院施設関係者が上記カバーをスライドさせ、カバー下の患者名を認識するようにすることで、患者名が常時露出することを防止していた（例えば、特許文献１参照）。
【０００４】
しかしながら、このようなカバー式の廊下灯では、病院施設関係者以外であっても容易にカバーを操作して患者名を観られてしまうという問題があり、その一方で病院施設関係者からはカバーを操作するのが煩わしいという要望もあった。
【特許文献１】特開２００４−０９４７６４公報
【発明の開示】
【発明が解決しようとする課題】
【０００５】
従来の廊下灯では、病院施設関係者以外であっても容易にカバーを操作して患者名を観られてしまうという問題があり、その一方で病院施設関係者からはカバーを操作するのが煩わしいという要望もあった。
【０００６】
この発明は上記問題を解決し、上記要望に応えるべくなされたもので、患者名を明示しなくても、病院施設関係者の手を煩わすことなくナースコールによる呼び出しを行った患者が利用する病床の位置を認識することが可能な廊下灯を提供することを目的とする。
【課題を解決するための手段】
【０００７】
上記の目的を達成するために、この発明は、病室入り口に設けられ、病室内の患者より呼び出しがあった場合にその旨を報知する廊下灯であって、病室の識別情報を示す病室識別表示手段と、病室内の複数の病床の配列に合わせて、病床の識別情報を示す病床識別表示手段と、この病床識別情報表示手段で示される識別情報に対応づけて、呼び出しを行った患者が利用する病床の位置を示す呼出報知手段とを具備して構成するようにした。
【発明の効果】
【０００８】
以上述べたように、この発明では、病室識別表示手段によって病室の識別情報を示すとともに、病床識別表示手段によって病室内の複数の病床の配列に合わせて病床の識別情報を示し、この病床識別情報表示手段で示される病床の識別情報に対応づけて、呼び出しを行った患者が利用する病床の位置を示すようにしている。
【０００９】
また、病床の識別情報を表示しないようにすることにより、空いている病床を示すことができ、上記識別情報の有無により病床の在／不在を示すことができる。
【００１０】
したがって、この発明によれば、患者名を明示しなくても、病院施設関係者の手を煩わすことなくナースコールによる呼び出しを行った患者が利用する病床の位置を認識することが可能な廊下灯およびこの廊下灯で用いる情報カードを提供できる。
【発明を実施するための最良の形態】
【００１１】
以下、図面を参照して、この発明の一実施形態について説明する。  
図１は、この発明の一実施形態に係わる廊下灯１００の構成を示すものである。この廊下灯１００は、図２に示すように病院内の各病室入口付近の廊下側壁面に設けられ、代表表示灯１１０と、病室番号プレート１２０と、情報カード１３０〜１６０と、個別表示灯１８０と、復旧ボタン１９０とを備えている。
【００１２】
代表表示灯１１０は、ＬＥＤ（Light Emitting Diode）や電球を用いたもので、ナースセンタに設置されるナースコール親機（図示しない）によって制御され、対応する病室内のいずれかの患者がナースコール子機（図示しない）を操作して呼び出しを行った場合に点灯するものであり、復旧ボタン１９０が操作されると、ナースコール親機によって消灯される。すなわち、廊下において、病院施設関係者などに対して、呼び出しを行った患者がいる旨を視覚的に報知するものであり、後述する個別表示灯１８０よりも大型で、視認しやすく設計される。
【００１３】
病室番号プレート１２０は、例えば図１に示すように病室番号「６１３」が記載され、廊下灯１００から着脱可能な構造となっている。この着脱には、例えばマグネットや接着剤を用いるほか、廊下灯１００側に病室番号プレート１２０を保持する機構を設けるなどが考えられる。
【００１４】
情報カード１３０〜１６０は、それぞれ病室内の病床に対応するものであって、例えば図２に示すように、病室内の病床レイアウトに一致するように配置される。また情報カード１３０〜１６０は、廊下灯１００から着脱可能な構造となっている。この着脱には、例えばマグネットや接着剤を用いるほか、廊下灯１００側に情報カード１３０〜１６０を保持する機構を設けるなどが考えられる。
【００１５】
また情報カード１３０〜１６０は、対応する病床番号が記載される（もしくは記載する）ベット番号表示領域１７０ａと、色分けにより病床の患者の状態（例えば、担送、護送、独歩）を示す救護区分表示領域１７０ｂとを備える。なお、情報カード１３０〜１６０には、患者名を記載しない。
【００１６】
個別表示灯１８０は、ＬＥＤや電球を用いたもので、情報カード１３０〜１６０の数だけ設けられ、情報カード１３０〜１６０に対応することが分かるように配列されるとともに、対応する病室内の病床にそれぞれ対応するものである。そして、個別表示灯１８０は、上記ナースコール親機によって制御され、対応する病床の患者がナースコール子機を操作して呼び出しを行った場合に点灯するものであり、復旧ボタン１９０が操作されると、ナースコール親機によって消灯される。すなわち、廊下において、病院施設関係者などに対して、呼び出しを行った患者の病床がいずれであるかを視覚的に報知するものである。
【００１７】
また図２に示すように、各病床近傍には、ベットネームプレート２００が設けられる。このベットネームプレート２００は、病床番号や患者名などを示す領域２１０と、診療科、担当医、入院日、手術日を示す領域２２０とを備えるものである。
【００１８】
以上のように、上記構成の廊下灯１００では、病室内の病床レイアウトに一致するように情報カード１３０〜１６０を配置し、情報カード１３０〜１６０には病床番号と患者の状態を示すとともに、ナースコール子機によって呼び出しを行った患者をそれぞれ対応する個別表示灯１８０で示し、患者名については表記しないようにしている。
【００１９】
したがって、上記構成の廊下灯１００によれば、病院施設関係者の手を煩わすことなくナースコールによる呼び出しを行った患者が利用する病床の位置を認識することができ、かつ病院施設関係者以外がこれを見ても患者名を認識することができないという効果を奏する。
【００２０】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００２１】
その一例として例えば、上記実施の形態では、病床にベット番号を対応づけておき、これを廊下灯１００で示すようにしたが、数字に限ったものではなく、写真や絵、文字など同一病室内で他の病床と区別できる視覚的な情報であれば適用することができ、同様の効果を得られる。
【００２２】
また上記実施の形態では、病室番号プレート１２０および情報カード１３０〜１６０は、手書きや印刷などの情報記入を想定して説明したが、ＬＣＤ（Liquid Crystal Display）などの表示装置に同様の情報を表示することによっても実現可能である。  
その他、この発明の要旨を逸脱しない範囲で種々の変形を施しても同様に実施可能であることはいうまでもない。
【図面の簡単な説明】
【００２３】
【図１】この発明に係わる廊下灯の一実施形態の構成を示す。
【図２】図１に示した廊下灯が用いられる病院内の間取りを模式的に示す図。
【図３】図１に示した廊下灯に示される情報に対応する情報を病床近傍にて示すベットネームプレートの一例を示す図。
【符号の説明】
【００２４】
１００…廊下灯、１１０…代表表示灯、１２０…病室番号プレート、１３０〜１６０…情報カード、１７０ａ…ベット番号表示領域、１７０ｂ…救護区分表示領域、１８０…個別表示灯、１９０…復旧ボタン、２００…ベットネームプレート。
【図１】
2005319176.tif 000003
【図２】
2005319176.tif 000004
【図３】
2005319176.tif 000005